(57)【要約】【課題】装置より吹き出した加熱加湿空気が結露することなく吹き出した状態の水滴径を維持するサウナ装置を提供することを目的とする。【解決手段】浴室内の空気を加熱する加熱手段１２と、加熱手段１２により加熱された空気を循環送風する加熱空気送風手段２１と、空気を加湿する加湿手段１１と、浴室内の温度を検知する浴室内温度検知手段２６と、加湿手段１１により生成された加湿空気の温度を検知する加湿空気温度検知手段２７と、加湿手段１１により生成する加湿空気の温度を変化せしめる加湿空気温度可変手段とを備え、加湿空気温度制御手段により浴室温度検知手段２６により検知された浴室温度と加湿空気温度検知手段２７により検知された加湿空気の温度の差を２０Ｋ以下に制御するため吹き出し加熱加湿空気の水滴が結露することのないサウナ装置が得られる。【選択図】図２
2007209438.tif 000002
【特許請求の範囲】
【請求項１】
浴室内の空気を加熱する加熱手段と、前記加熱手段により加熱された空気を循環送風する加熱空気送風手段と、空気を加湿する加湿手段と、浴室内の温度を検知する浴室内温度検知手段と、前記加湿手段により生成された加湿空気の温度を検知する加湿空気温度検知手段と、前記加湿手段により生成する加湿空気の温度を変化せしめる加湿空気温度可変手段とを備え、前記浴室温度検知手段により検知された浴室温度と前記加湿空気温度検知手段により検知された加湿空気の温度の差を２０Ｋ以下に制御する加湿空気温度制御手段を備えたことを特徴とするサウナ装置。
【請求項２】
水または温水を噴射または供給する噴射手段と、前記噴射手段に水または温水を供給する給水手段を備えた加湿手段であって、前記給水手段の温水の温度を調整する供給温度調整手段を備えたことを特徴とする請求項１に記載のサウナ装置。
【請求項３】
熱源から供給された温水と水を熱交換する水−水熱交換器と、前記温水の流量または温度を調整する制御手段を備えることにより噴射手段への供給温度を可変することを特徴とする請求項２記載のサウナ装置。
【請求項４】
加熱手段により加熱された空気を循環送風する加熱空気送風手段と、前記加熱手段は温水を熱源とした空気熱交換器であり、前記空気熱交換器への熱源から供給される温水の量を制御する加熱流量調整手段を備えたことを特徴とする請求項１記載のサウナ装置。
【請求項５】
加湿手段は、水または温水を供給する給水手段と、前記給水手段から給水された水または温水を噴射する噴射手段と、前記噴射手段により噴射された水または温水を衝撃させて破砕する水破砕手段と前記水破砕手段により供給された水滴群を大粒の水滴と微細な水滴に分離し、大粒の水滴を回収する気液分離手段とにより構成した請求項１記載のサウナ装置。
【請求項６】
浴室内の湿度を検出する湿度検出手段と浴室内の温度を検知する浴室内温度検知手段を備え、前記湿度検出手段により検出した浴室内湿度と浴室内温度より必要加湿量を設定・制御する制御手段を備えたことを特徴とする請求項１記載のサウナ装置。
【請求項７】
水または温水を噴射または供給する噴射手段と、前記噴射手段に温水または水を導く配管路内に芳香手段を備えたことを特徴とする請求項１記載のサウナ装置。
【請求項８】
水または温水を噴射または供給する噴射手段と、前記噴射手段に温水を供給する温水供給手段と、前記噴射手段に冷水を供給する冷水供給手段と噴射温度を検知する噴射温度検知手段を備えた加湿手段であって、前記温水供給手段と前記冷水供給手段の比率を調整する冷温水配合手段を備えることにより、浴室内温度検知手段により検知した浴室内温度と前記噴射温度の温度差を２０Ｋ以下とすることを特徴とする請求項１または２に記載のサウナ装置。
【請求項９】
温水供給手段の熱源をヒーターとすることを特徴とする請求項１記載のサウナ装置。
【請求項１０】
空気を加熱する加熱手段と、前記加熱手段により加熱された空気を送風する加熱空気送風手段と、空気を加湿する加湿手段と、前記加湿手段により加湿された加湿空気を送風する加湿空気送風手段と、吸込口および吹出口とを備え、前記加熱空気送風手段からの加熱空気と、前記加湿空気送風手段からの加湿空気を前記吹出口の手前で合流し、前記吹出口より加熱加湿空気を吹き出す構成としたサウナ装置であって、前記加熱空気は前記加湿空気より温度が高いことを特徴とするサウナ装置。
【発明の詳細な説明】
【技術分野】
【０００１】
本発明は、浴室内を高温高湿雰囲気にしサウナ浴をするために用いるサウナ装置に関する。
【背景技術】
【０００２】
従来、この種のサウナ装置の一例として、浴室の天井に設置し浴室をサウナ室とするミスト装置が知られている（例えば、特許文献１参照）。
【０００３】
サウナには、室内の温度を１００℃程度、相対湿度を１０％程度の高温低湿環境にするドライ式サウナや、室内の温度を４０〜５０℃程度、相対湿度を７０％以上程度の中高温高湿環境にするスチーム式サウナがある。近年、浴室やシャワー室等に設置し、浴室やシャワー室そのものをサウナルームとして使用可能とするサウナ装置が注目されており、スチーム式のものが種々提案されている。
【０００４】
以下、そのサウナ装置について、図１８を参照しながら説明する。
【０００５】
図は、従来のサウナ装置の内部構造の概略を示す要部断面図である。
【０００６】
図に示すように、外装体１０１の内部において、複数の湯噴出口１０４を有する噴出湯管１０５が上部に配置され、噴出湯管１０５の下方に複数の薄板１０７とパイプ状の連結部材１０６で構成される熱交換促進部材１０８が配置され、さらにその下部にファンユニット１０９が配置されている。湯噴出口１０４から熱交換促進部材１０８上に噴出された温水の一部が蒸発して発生する水蒸気を、ファンユニット１０９によって空気吸入口１０２から吸引された空気に供給し、スチーム吹出し口１０３から浴室内に噴出し、熱交換後の温水はドレンパン１１０に集められ、外部へ排水される。
【特許文献１】特開平６−６３１０３号公報（第５頁、第３図）
【発明の開示】
【発明が解決しようとする課題】
【０００７】
このような従来のサウナ装置では、加湿量を維持するために、噴出湯管１０５を介して複数の湯噴出口１０４から噴出される温水とファンユニット１０９により空気吸込口１０２から吸引された空気との接触面積、つまりは熱交換促進部材１０８の薄板１０７面積が必要となり、このため薄板１０７の枚数を増やすか、薄板１０７の１枚当たりの面積を大きくとる必要がある。また、薄板１０７の１枚当たりの面積を大きくとった場合、湯噴出口１０４から噴出された温水の薄板１０７上を流れる時間を多く取る必要があり、このため温水の落下方向に長い形状の熱交換促進部材１０８となる。
【０００８】
以上のことから、湯噴出口１０４から噴出される温水が熱交換促進部材１０８に触れることで蒸気となるためスチーム吹出し口１０３から噴出される加湿空気はかなりの高温となり、一方浴室内温度は４０〜５０℃であるため吹出し加湿空気と温度差があり、スチーム吹出し口１０３から浴室内に吹出される時に結露し、結果として、大きな水滴となって浴室内に吹出されることとなる。これが入浴者の体に触れて体感上好ましくないという課題があった。
【０００９】
本発明は、このような従来の課題を解決するものであり、サウナ装置より吹出された加湿空気の粒径を維持した状態で浴室内に吹出すことができるサウナ装置を提供することを目的としている。
【課題を解決するための手段】
【００１０】
本発明のサウナ装置は上記目的を達成するために、浴室内の空気を加熱する加熱手段と、前記加熱手段により加熱された空気を循環送風する加熱空気送風手段と、空気を加湿する加湿手段と、浴室内の温度を検知する浴室内温度検知手段と、前記加湿手段により生成された加湿空気の温度を検知する加湿空気温度検知手段と、前記加湿手段により生成する加湿空気の温度を変化せしめる加湿空気温度可変手段とを備え、前記浴室温度検知手段により検知された浴室温度と前記加湿空気温度検知手段により検知された加湿空気の温度の差を２０Ｋ以下に制御する加湿空気温度制御手段を備えたものである。
【００１１】
この手段により、浴室温度と加湿空気の温度の差を２０Ｋ以下に制御することを特徴とするサウナ装置が得られる。
【００１２】
また、他の手段は、水または温水を噴射または供給する噴射手段と、前記噴射手段に水または温水を供給する給水手段を備えた加湿手段であって、前記給水手段の温水の温度を調整する供給温度調整手段を備えたものである。
【００１３】
この手段により、供給温度調整手段で供給水の温度を可変することができ、つまり噴射温度を容易に可変することができるため浴室内の温度に対し一定の温度差を持って吹出すことが可能なサウナ装置が得られる。
【００１４】
また、他の手段は、熱源から供給された温水と水を熱交換する水−水熱交換器と、前記温水の流量または温度を調整する制御手段を備えることにより噴射手段への供給温度を可変するものである。
【００１５】
この手段により、噴射手段への供給温度を可変することが容易にでき、浴室内の温度に対し一定の温度差を持って吹出すことが可能なサウナ装置が得られる。
【００１６】
また、他の手段は、加熱手段により加熱された空気を循環送風する加熱空気送風手段と、前記加熱手段は温水を熱源とした空気熱交換器であり、前記空気熱交換器への熱源から供給される温水の量を制御する加熱流量調整手段を備えたものである。
【００１７】
この手段により、加熱側の温度コントロールが容易になりつまり浴室内の温度の調節が容易になり、加湿空気温度と浴室内の温度に対し一定の温度差を持って吹出すことが可能なサウナ装置が得られる。
【００１８】
また、他の手段は、加湿手段は、水または温水を供給する給水手段と、前記給水手段から給水された水または温水を噴射する噴射手段と、前記噴射手段により噴射された水または温水を衝撃させて破砕する水破砕手段と前記水破砕手段により供給された水滴群を大粒の水滴と微細な水滴に分離し、大粒の水滴を回収する気液分離手段とにより構成したものである。
【００１９】
この手段により、吹出口より吹き出される加湿空気は微細な粒径の水滴の集まりとなり、一方、浴室内の温度に対し一定の温度差を持って微細な粒径のまま水滴を吹き出すことが可能なサウナ装置が得られる。
【００２０】
また、他の手段は、浴室内の湿度を検出する湿度検出手段と浴室内の温度を検知する浴室内温度検知手段を備え、前記湿度検出手段により検出した浴室内湿度と浴室内温度より必要加湿量を設定・制御する制御手段を備えたものである。
【００２１】
この手段により、湿度検出手段により検出した浴室内湿度と浴室内温度より必要加湿量を設定・制御することができるサウナ装置が得られる。
【００２２】
また、他の手段は、水または温水を噴射または供給する噴射手段と、前記噴射手段に温水または水を導く配管路内に芳香手段を備えたものである。
【００２３】
この手段により、吹出口からは香りを含む加湿空気を吹き出すサウナ装置が得られる。
【００２４】
また、他の手段は、水または温水を噴射または供給する噴射手段と、前記噴射手段に温水を供給する温水供給手段と、前記噴射手段に冷水を供給する冷水供給手段と噴射温度を検知する噴射温度検知手段を備えた加湿手段であって、前記温水供給手段と前記冷水供給手段の比率を調整する冷温水配合手段を備えることにより、浴室内温度検知手段により検知した浴室内温度と前記噴射温度の温度差を２０Ｋ以下とするものである。
【００２５】
この手段により、浴室内温度検知手段により検知した浴室内温度と噴射温度の温度差を２０Ｋ以下とすることができるサウナ装置が得られる。
【００２６】
また、他の手段は、温水供給手段の熱源をヒーターとするものである。
【００２７】
この手段により、容易に熱源からの供給温度を可変することができるサウナ装置が得られる。
【００２８】
また、他の手段は、空気を加熱する加熱手段と、前記加熱手段により加熱された空気を送風する加熱空気送風手段と、空気を加湿する加湿手段と、前記加湿手段により加湿された加湿空気を送風する加湿空気送風手段と、吸込口および吹出口とを備え、前記加熱空気送風手段からの加熱空気と、前記加湿空気送風手段からの加湿空気を前記吹出口の手前で合流し、前記吹出口より加熱加湿空気を吹き出す構成としたサウナ装置であって、前記加熱空気は前記加湿空気より温度が高いものである。
【００２９】
この手段により、加熱空気は加湿空気より温度を高くすることで吹出し口から吹出される加湿空気の結露を抑制することができるサウナ装置が得られる。
【発明の効果】
【００３０】
本発明によれば、浴室内の空気を加熱する加熱手段と、前記加熱手段により加熱された空気を循環送風する加熱空気送風手段と、空気を加湿する加湿手段と、浴室内の温度を検知する浴室内温度検知手段と、前記加湿手段により生成された加湿空気の温度を検知する加湿空気温度検知手段と、前記加湿手段により生成する加湿空気の温度を変化せしめる加湿空気温度可変手段とを備え、前記浴室温度検知手段により検知された浴室温度と前記加湿空気温度検知手段により検知された加湿空気の温度の差を２０Ｋ以下に制御する加湿空気温度制御手段を備えたことにより、吹出口から吹出される加湿空気内の水滴と浴室内温度の差が少なくなり、噴射水滴が結露しにくい、つまり噴射粒径のまま浴室内に拡散するという効果のあるサウナ装置を提供できる。
【００３１】
また、水または温水を噴射または供給する噴射手段と、前記噴射手段に水または温水を供給する給水手段を備えた加湿手段であって、前記給水手段の温水の温度を調整する供給温度調整手段を備えたことにより、浴室内の温度上昇とともに加湿量つまりは加湿空気温度を上昇することができるため、リニアな温度変化に対応することができる効果のあるサウナ装置を提供できる。
【００３２】
また、熱源から供給された温水と水を熱交換する水−水熱交換器と、前記温水の流量または温度を調整する制御手段を備えることにより、噴射手段への供給温度を可変する構成とし、供給温水の流量を調整することで加湿空気温度を変化できるため、噴射量を一定の状態でも加湿量を変更することができ、特に直接浴室内に噴射する形式の場合、使用者に気づかれることがなく一定の空間を提供するサウナ装置を提供できる。
【００３３】
また、加熱手段により加熱された空気を循環送風する加熱空気送風手段と、前記加熱手段は温水を熱源とした空気熱交換器であり、前記空気熱交換器への熱源から供給される温水の量を制御する加熱流量調整手段を備えたことにより、加湿空気に合わせて加熱空気温度を変化することができるため、リニアな温度湿度制御が可能となる効果のあるサウナ装置を提供できる。
【００３４】
また、加湿手段は、水または温水を供給する給水手段と、前記給水手段から給水された水または温水を噴射する噴射手段と、前記噴射手段により噴射された水または温水を衝撃させて破砕する水破砕手段と前記水破砕手段により供給された水滴群を大粒の水滴と微細な水滴に分離し、大粒の水滴を回収する気液分離手段とにより構成したことにより、加湿空気が微細な水滴であるため、非常にクリアな空間を提供することができ、このことにより浴室内でサウナ浴をしながら読書をしたりテレビを観賞するという効果のあるサウナ装置を提供できる。
【００３５】
また、浴室内の湿度を検出する湿度検出手段と浴室内の温度を検知する浴室内温度検知手段を備え、前記湿度検出手段により検出した浴室内湿度と浴室内温度より必要加湿量を設定・制御する制御手段を備えたことにより、浴室内湿度を検知することにより過剰な加湿を避けることができ、浴室内を一定の加湿空気で満たすサウナ装置を提供することができる。
【００３６】
また、水または温水を噴射または供給する噴射手段と、前記噴射手段に温水または水を導く配管路内に芳香手段を備えたことにより、リラクゼーション機能が増し、より一層サウナ空間を楽しむことができるサウナ装置を提供することができる。
【００３７】
また、水または温水を噴射または供給する噴射手段と、前記噴射手段に温水を供給する温水供給手段と、前記噴射手段に冷水を供給する冷水供給手段と噴射温度を検知する噴射温度検知手段を備えた加湿手段であって、前記温水供給手段と前記冷水供給手段の比率を調整する冷温水配合手段を備えることにより、浴室内温度検知手段により検知した浴室内温度と前記噴射温度の温度差を２０Ｋ以下とすることにより、浴室内温度検知手段により検知した浴室内温度と噴射温度の温度差を２０Ｋ以下とする構成としたのもであり、温水供給手段と冷水供給手段の混合比率を変えることにより吹き出し温度を変化させるため、吹き出し温度の急激な変動が可能となるという効果のあるサウナ装置を提供できる。
【００３８】
また、温水供給手段の熱源をヒーターとすることにより、熱源供給温度が一定の場合でも供給温度をリニアに変化可能な、または熱源供給手段を必要としなくなりことから施工が容易なサウナ装置を提供できる。
【００３９】
また、空気を加熱する加熱手段と、前記加熱手段により加熱された空気を送風する加熱空気送風手段と、空気を加湿する加湿手段と、前記加湿手段により加湿された加湿空気を送風する加湿空気送風手段と、吸込口および吹出口とを備え、前記加熱空気送風手段からの加熱空気と、前記加湿空気送風手段からの加湿空気を前記吹出口の手前で合流し、前記吹出口より加熱加湿空気を吹き出す構成としたサウナ装置であって、前記加熱空気は前記加湿空気より温度が高いことにより、加湿空気は相対湿度の低い加熱空気と混合することとなり、加湿空気に含まれる水滴は蒸発し粒径が小さくなり、また相対湿度が低くなることにより、クリアな空間を生成するという効果のあるサウナ装置を提供できる。
【発明を実施するための最良の形態】
【００４０】
本発明の請求項１記載のサウナ装置は、浴室内の空気を加熱する加熱手段と、前記加熱手段により加熱された空気を循環送風する加熱空気送風手段と、空気を加湿する加湿手段と、浴室内の温度を検知する浴室内温度検知手段と、前記加湿手段により生成された加湿空気の温度を検知する加湿空気温度検知手段と、前記加湿手段により生成する加湿空気の温度を変化せしめる加湿空気温度可変手段とを備え、前記浴室温度検知手段により検知された浴室温度と前記加湿空気温度検知手段により検知された加湿空気の温度の差を２０Ｋ以下に制御する加湿空気温度制御手段を備えたものであり、浴室温度と加湿空気温度の温度差を少なくすることにより吹出し空気の結露を防ぐことができるという作用を有する。
【００４１】
また、請求項２記載のサウナ装置は、水または温水を噴射または供給する噴射手段と、前記噴射手段に水または温水を供給する給水手段を備えた加湿手段であって、前記給水手段の温水の温度を調整する供給温度調整手段を備えたものであり、給水手段の温度を変化させることにより噴射温度を変化することができるという作用を有する。
【００４２】
また、請求項３記載のサウナ装置は、熱源から供給された温水と水を熱交換する水−水熱交換器と、前記温水の流量または温度を調整する制御手段を備えることにより噴射手段への供給温度を可変するものであって、制御手段により容易に噴射手段への供給温度を可変することができるという作用を有する。
【００４３】
また、請求項４記載のサウナ装置は、加熱手段により加熱された空気を循環送風する加熱空気送風手段と、前記加熱手段は温水を熱源とした空気熱交換器であり、前記空気熱交換器への熱源から供給される温水の量を制御する加熱流量調整手段を備えたものであって、加湿空気に合わせて加熱空気温度を変化することができるため、リニアな温度湿度制御が可能となるという作用を有する。
【００４４】
また、請求項５記載のサウナ装置は、加湿手段は、水または温水を供給する給水手段と、前記給水手段から給水された水または温水を噴射する噴射手段と、前記噴射手段により噴射された水または温水を衝撃させて破砕する水破砕手段と前記水破砕手段により供給された水滴群を大粒の水滴と微細な水滴に分離し、大粒の水滴を回収する気液分離手段とにより構成したものであって、加湿空気が微細な水滴であるため、非常にクリアな空間を提供することができるという作用を有する。
【００４５】
また、請求項６記載のサウナ装置は、浴室内の湿度を検出する湿度検出手段と浴室内の温度を検知する浴室内温度検知手段を備え、前記湿度検出手段により検出した浴室内湿度と浴室内温度より必要加湿量を設定・制御する制御手段を備えたものであって、浴室内湿度を検知することにより過剰な加湿を避けることができ、浴室内を一定の加湿空気で満たすという作用を有する。
【００４６】
また、請求項７記載のサウナ装置は、水または温水を噴射または供給する噴射手段と、前記噴射手段に温水または水を導く配管路内に芳香手段を備えたものであって、リラクゼーション機能が増すという作用を有する。
【００４７】
また、請求項８記載のサウナ装置は、水または温水を噴射または供給する噴射手段と、前記噴射手段に温水を供給する温水供給手段と、前記噴射手段に冷水を供給する冷水供給手段と噴射温度を検知する噴射温度検知手段を備えた加湿手段であって、前記温水供給手段と前記冷水供給手段の比率を調整する冷温水配合手段を備えることにより、浴室内温度検知手段により検知した浴室内温度と前記噴射温度の温度差を２０Ｋ以下とするものであって、浴室内温度検知手段により検知した浴室内温度と噴射温度の温度差を２０Ｋ以下にするという作用を有する。
【００４８】
また、請求項９記載のサウナ装置は、温水供給手段の熱源をヒーターとするものであって、容易に熱源からの供給温度を可変するという作用を有する。
【００４９】
また、請求項１０記載のサウナ装置は、空気を加熱する加熱手段と、前記加熱手段により加熱された空気を送風する加熱空気送風手段と、空気を加湿する加湿手段と、前記加湿手段により加湿された加湿空気を送風する加湿空気送風手段と、吸込口および吹出口とを備え、前記加熱空気送風手段からの加熱空気と、前記加湿空気送風手段からの加湿空気を前記吹出口の手前で合流し、前記吹出口より加熱加湿空気を吹き出す構成としたサウナ装置であって、前記加熱空気は前記加湿空気より温度が高いものであって、加熱空気は加湿空気より温度が高いことため吹出口より吹出す加湿空気自体はやや相対湿度が低いものとなり結露しにくい状態で加湿空気が吹き出されるという作用を有する。
【００５０】
以下、本発明の実施の形態について図面を参照しながら説明する。
【００５１】
（実施の形態１）
図１〜図３に示すように、浴室等よりなるサウナ対象室１の天井裏空間２にサウナ装置を形成する装置本体３を設け、装置本体３の下面に形成された開口部４は天井開口５を介してサウナ対象室１に連通している。また、装置本体３には水または温水を装置本体３に供給する給水管６および装置本体３から排出される水を排水する排水管７が接続され、一方熱源である給湯器８には熱源側温水循環回路として循環温水回路往路管９と循環温水回路復路管１０とが接続され、サウナ対象室１または装置本体３内部を加熱、加湿する場合には、給湯器８から温水が循環温水回路往路管９を介して装置本体３に送り込まれるとともに、給水管６を介して市水が装置本体３に送水され、熱源からの循環温水は装置本体３内部で熱交換されたのち、循環温水回路復路管１０を介して給湯器８に戻り給水管６より供給された市水の一部は加湿として使用され、加湿に使用されなかった水が排水管７より排水されるものである。
【００５２】
また、装置本体３は、一開口面を有した箱状で、内部に加湿手段１１とサウナ対象室１の空気を装置本体３内部で温め循環送風する加熱空気送風手段２１を有した加熱手段１２と加湿空気温度制御手段を備えた制御手段１３が内蔵され、加湿手段１１は加湿空気送風手段１４と、水破砕手段１５と気液分離手段１６と加湿空気温度可変手段１７ａとして供給温度調整手段１７を備えた給水手段１８と排水手段１９と循環温水回路２０から構成され、加湿空気送風手段１４により、サウナ対象室１より加湿用吸込口２２に吸い込まれた空気が水破砕手段１５を通過し、気液分離手段１６を通り加湿用吹出口２３より吹き出される。一方、水破砕手段１５には熱源として給湯器８から循環温水回路往路管９を介し循環温水回路入口接続部を通り水−水熱交換器２４に送り込まれた温水と、給水手段１８により送水される市水とで熱交換が行なわれ給水手段１８と連通する水破砕手段１５の構成要素である噴射手段２５から噴射される。
【００５３】
また、装置本体３のサウナ対象室１である浴室に接した面には浴室内の温度を検知する浴室内温度検知手段２６と加湿用吹出口２３には加湿用吹出口２３の直下温度を検知する加湿空気温度検知手段２７が備えられている。
【００５４】
そして、噴射手段２５から噴射された温水は水破砕手段１５に設けた衝突ファン２８よりなる衝突手段２９に衝突し、微細水滴に砕かれ、砕かれた水滴は加湿空気送風手段１４による空気流に乗り気液分離手段１６を通過するが、気液分離手段１６を加湿空気が通過するとき大粒な水滴と微細な水滴に分離され、微細な水滴のみが加湿用吹出口２３より吹出される。
【００５５】
また、水破砕手段１５は噴射手段２５と衝突手段２９を備え、圧力を有した水または温水を供給する給水手段１８は噴射手段２５であるノズルに連結され、圧力を有した水または温水をノズルより衝突手段２９である衝突ファン２８に向けて噴射するように設け、加湿空気送風手段１４は、加湿送風用電動機３０と、加湿送風用電動機３０のシャフトに連結された衝突ファン２８を備え、衝突ファン２８は、例えばシロッコファンなどの遠心力ファンにより形成する。
【００５６】
また、衝突手段２９は水または温水を衝突させて微細な水滴とする機能と送風機能を併せ持ち、それ自体が運転する衝突ファン２８で形成され、噴射手段２５であるノズルから噴射された水または温水は、加湿送風用電動機３０により回転する衝突ファン２８の羽根すなわち複数の衝突板３１に衝突するように設け、ノズルからの噴射によりある程度微細化した水または温水をさらに回転体である衝撃ファン２８に衝突させることにより微細な水滴となるように構成する。
【００５７】
そして、加湿空気温度制御手段としての制御手段１３は加湿空気温度可変手段１７ａと浴室内温度検知手段２６と加湿空気温度検知手段２７と電気的に接続されている。
【００５８】
上記構成において、給水管６より送水した水は水−水熱交換器２４に流入することとなるが、一方、水−水熱交換器２４は熱源である給湯器８より温水が流入し内部を温水が通過することにより給水管６より送水した水が温まることとなる。この給水管６より送水した水の温まり方は給湯器８より送水される温水の温度・流量に左右される。水−水熱交換器２４を通過した給水は、水または温水を供給する給水手段１８から給水された水または温水を噴射する噴射手段２５より噴射され、噴射手段２５により噴射された水または温水を衝突させて破砕する水破砕手段１５により細かい水滴に破砕され、気液分離手段１６により大粒な水滴と微細な水滴に分離し、微細な水滴のみ含んだ加湿空気が加湿用吹出口２３より吹出されることとなる。
【００５９】
また、水破砕手段１５に回転する衝突ファン２８を設けたことにより、衝突ファン２８は加湿空気送風手段１４と衝突手段２９の働きを兼ね備えるため、コストパフォーマンスがよく、また、空間を有効に活用した水破砕手段１５を構成でき、水を破砕する動力が衝突ファン２８の回転数に依存するため、ノズルのみでの水滴の微細化であると水圧に加湿量が依存するが、本方式によると供給される水道水または温水の水圧に依存することなく一定の加湿量を供給することができる。
【００６０】
一方、加湿用吹出口２３直下には加湿空気温度検知手段２７が設けられ、また浴室側には浴室内温度検知手段２６が設けられており、加湿用吹出口２３の温度と浴室内の温度を制御手段１３で比較し、電気的に接続した加湿空気温度可変手段１７ａにより給湯器８からの流量または温度を調整し、加湿用吹出口２３の温度が浴室内温度に対し２０Ｋ以内になるように調整する。これにより加湿用吹出口２３で噴出される微細な水滴は結露を抑制した状態で浴室内に拡散されることとなり、微細な状態なままサウナ対象室１である浴室内部に広がるため使用者に水滴によるわずらわしさを与えることのない空間となるサウナ対象室１を提供でき、サウナ対象室１内での読書が可能となり、サウナ対象室１の利用範囲を広げることができ、また、水破砕手段１５による水の衝突で水を微細化することにより、レナード効果により負イオンを多く含んだ空気をサウナ対象室１内に送風することができる。
【００６１】
なお、本発明では加湿空気温度検知手段２７を吹出口２３の直下温度の位置に設置したが、噴射手段２５の温度を検知し換算してもよく、その効果に差異はない。
【００６２】
（実施の形態２）
実施の形態２について説明する。なお、実施の形態１と重複する個所は同一記号とし説明は省略する。
【００６３】
図４〜図６に示すように、装置本体３には熱源である給湯器８から熱源側温水循環回路として循環温水回路往路管９と循環温水回路復路管１０とが接続され、サウナ対象室１または装置本体３内部を加熱する場合には、給湯器８から温水が循環温水回路往路管９を介して装置本体３に送り込まれ、循環温水回路２０により加熱流量調節手段３２を介して空気熱交換器３４を通過する。このとき、加熱空気送風手段２１が駆動することによりサウナ対象室１の空気を加熱空気吸込口３５より吸い込み、空気熱交換器３４を介して加熱され加熱空気吹出口３６よりサウナ対象室１に吹出すこととなる。一方、空気熱交換器３４を通過した温水は熱交換され冷水となり循環温水回路復路管１０を介して給湯器８に戻されるものである。
【００６４】
上記構成において、加湿用吹出口２３直下には加湿空気温度検知手段２７が設けられ、また浴室側には浴室内温度検知手段２６と湿度検出手段３３が設けられており、加湿用吹出口２３の温度と浴室内の温度・湿度を制御手段１３で比較することにより必要加湿量を推定し、電気的に接続した加湿空気温度可変手段１７ａと加熱流量調節手段３２により給湯器８からの流量または温度を調整し、加湿用吹出口２３の温度と加熱空気吹出口３６の温度差が２０Ｋ以内になるように調整しながら各々が最適流量となるように調整を行うものであり、これにより加湿用吹出口２３で噴出される微細な水滴は結露を抑制した状態で浴室内に拡散されることとなり、効率的にサウナ対象室１をサウナ空間にすることができる。
【００６５】
（実施の形態３）
実施の形態３について説明する。なお、実施の形態１、２と重複する個所は同一記号とし説明は省略する。
【００６６】
図７〜図１１に示すように、浴室等よりなるサウナ対象室１の天井裏空間２にサウナ装置を形成する装置本体３を設け、装置本体３の下面に形成された開口部４は天井開口５を介してサウナ対象室１に連通している。また、装置本体３には水または温水を装置本体３に供給する給水管６および装置本体３から排出される水を排水する排水管７が接続され、一方熱源である給湯器８には熱源側温水循環回路として循環温水回路往路管９と循環温水回路復路管１０とが接続され、サウナ対象室１および装置本体３内部を加熱するときには、給湯器８から温水が循環温水回路往路管９を介して装置本体３に送り込まれ、装置本体３内部で熱交換されたのち、循環温水回路復路管１０を介して熱源である給湯器８に戻る動作となり、一方、サウナ対象室１または装置本体３内部を加湿するときには給水管６を介して市水が装置本体３に送水され、一部は加湿として使用され、残った水が排水管７を介して排水されるものである。
【００６７】
また、サウナ対象室１または装置本体３内部を加熱、加湿する場合には、給湯器８から温水が循環温水回路往路管９を介して装置本体３に送り込まれるとともに、給水管６を介して市水が装置本体３に送水され、熱源からの循環温水は装置本体３内部で熱交換されたのち、循環温水回路復路管１０を介して給湯器８に戻り給水管６より供給された市水の一部は加湿として使用され、加湿に使用されなかった水が排水管７より排水されるものである。
【００６８】
また、装置本体３は、一開口面を有した箱状で、内部に加湿手段１１と加熱手段１２と制御手段１３が内蔵され、換気手段３７は装置本体３の側面に内部と連通して設けられ、制御手段１３は加湿手段１１と加熱手段１２と排気手段３８とを電気的に接続し、開口面には加湿用吸込口２２と加熱空気吸込口３５および加湿用吹出口２３と加熱空気吹出口３６を設けた内側パネル３９と、内側パネル３９との間に加湿用吸込口２２と加熱空気吸込口３５とに連通する吸込空気流路４０が形成される外側パネル４１を設け、天井面吸込口４２を形成するとともに、外側パネル４１にはサウナ対象室１に加熱加湿空気を吹き出す吹出口４３を設け、この吹出口４３の手前側に加湿用吹出口２３より吹き出される加湿空気と、加熱空気吹出口３６より吹き出される加熱空気が混合するように合流する合流室４４を設ける。
【００６９】
また、加湿手段１１は加湿空気送風手段１４と、水破砕手段１５と気液分離手段１６と給水手段１８と排水手段１９と循環温水回路２０から構成され、加湿空気送風手段１４により、サウナ対象室１より加湿用吸込口２２に吸い込まれた空気が水破砕手段１５を通過し、気液分離手段１６を通り加湿用吹出口２３より合流室４４に吹き出される。一方、水破砕手段１５には熱源として給湯器８から循環温水回路往路管９を介し循環温水回路入口接続部を通り水-水熱交換器２４に送り込まれた温水と、給水手段１８により送水される市水とで熱交換が行なわれ給水手段１８と連通する水破砕手段１５の構成要素である噴射手段２５から噴射される。
【００７０】
そして、噴射手段２５から噴射された温水は水破砕手段１５に設けた衝突ファン２８よりなる衝突手段２９に衝突し、微細水滴に砕かれ、砕かれた水滴は加湿空気送風手段１４による空気流に乗り気液分離手段１６を通過するが、気液分離手段１６を加湿空気が通過するとき大粒水滴と微細な水滴に分離され、微細な水滴のみが加湿用吹出口２３より合流室４４に送られる。
【００７１】
また、加熱手段１２は、空気熱交換器３４と加熱空気送風手段２１からなり、加熱空気送風手段２１が駆動することにより、サウナ対象室１から加熱空気吸込口３５を介して加熱手段１２に送り込まれ、加熱手段１２に備えた空気熱交換器３４は給湯器８から循環温水回路往路管９を介し、循環温水回路入口接続部を通り水の流通の開閉を行なう加熱流量調節手段３２を通過し空気熱交換器３４に温水が供給され空気−水の熱交換が行なわれサウナ対象室１より吸い込まれた空気と熱源から送水された温水が空気熱交換器３４で熱交換され加熱空気として加熱空気送風手段２１を通り加熱空気吹出口３６から合流室４４に送られ、加湿用吹出口２３より合流室４４に吹き出された加湿空気と合流し加熱加湿空気が吹出口４３よりサウナ対象１に送られる。
【００７２】
上記構成において、サウナ対象室１の天井面４５に設けたサウナ装置を運転すると、内側パネル３９と外側パネル４１間に形成される吸込空気流路４０に連通する加湿用吸込口２２よりサウナ対象室１内の空気が吸い込まれ、吸い込まれた空気は、内側パネル３９に設けた加湿用吸込口２２と加熱空気吸込口３５より装置本体３内に吸い込まれ、加湿用吸込口２２より吸い込まれた空気は加湿手段１１により加湿され、加湿空気は加湿空気送風手段１４を介して内側パネル３９に設けた加湿用吹出口２３より吹出口４３の手前に設けた合流室４４に送られる。
【００７３】
一方、内側パネル３９に設けた加熱空気吸込口３５より装置本体３内に吸い込まれた空気は、加熱手段１２により加熱され、加熱空気は加熱空気送風手段２１を介して内側パネル３９に設けた加熱空気吹出口３６より吹出口４３の手前に設けた合流室４４に送られ、合流室４４により加湿空気と加熱空気を合流して混合し、合流した加熱加湿空気を外側パネル４１に設けた加湿用吹出口２３よりサウナ対象室１に送られ、サウナ対象室１がサウナ機能を持つこととなる。
【００７４】
このことにより、サウナ対象室１に吹き出される加熱加湿空気は温度湿度が均一となり、むらのない均一サウナ対象室１が得られるサウナ装置となる。
【００７５】
また、加湿手段１１を、水または温水を供給する給水手段１８と、給水手段１８から給水された水または温水を噴射する噴射手段２５と、噴射手段２５により噴射された水または温水を衝突させて破砕する水破砕手段１５と、気液分離手段１６により大粒の水滴と微細な水滴に分離し、大粒の水滴を回収する気液分離手段１６を設けることにより、加湿空気が微細水滴のみを含んだものとなり、合流室４４で加熱空気が合流し相対湿度が低減され、加湿用吹出口２３より吹き出される吹出空気内の温湿度分布が良くなり、水滴感のないサウナ対象室１を得ることができる。このことにより使用者に水滴によるわずらわしさを与えることのない空間となるサウナ対象室１を提供できるので、サウナ対象室１内での読書が可能となり、サウナ対象室１の利用範囲を広げることができ、また水破砕手段１５による水の衝突で水を微細化することにより、レナード効果により負イオンを多く含んだ空気をサウナ対象室１内に送風することができる。
【００７６】
また、加熱空気送風手段２１に加熱送風量を可変する加熱送風可変手段４６を設け、加湿空気送風手段１４に加湿送風風量を可変する加湿送風可変手段４７を設けたことにより、加湿量はある範囲までは風量にほぼ比例となって増加するため、加湿量制御が行ない易く、温度制御と併せて低温低湿空間から高温高湿空間まで容易に温度湿度のコントロールを行なうことができる。
【００７７】
（実施の形態４）
実施の形態４について説明する。なお、実施の形態１〜３と重複する個所は同一記号とし説明は省略する。
【００７８】
図１２〜図１４に示すように、装置本体３には液状の芳香剤である芳香手段４８を備えた給水管６が接続され、給水管６の内部を流通する水は芳香手段４８により香りが付加される。芳香手段４８は芳香剤と活性炭より形成され、水道水のカルキ臭を活性炭で除去した後芳香剤で香りを付加する構成としている。香りが付加された水は熱源であるヒーター４９ａを通過し、温水となり水破砕手段１５に導かれ噴射手段２５から噴射する。
【００７９】
一方  加熱手段１２は加熱空気送風手段２１とヒーター４９ｂより形成され、加熱空気送風手段２１が駆動することによりサウナ対象室１からヒーター４９ｂを介して吹き出されることとなる。
【００８０】
また、加湿手段１１のヒーター４９ａと加熱手段１２のヒーター４９ｂと浴室内温度検知手段２６と加湿空気温度検知手段２７は電気的に制御手段１３と接続されている。
【００８１】
上記構成において、給水管６より導入した水は芳香手段４８により水道水のカルキ臭を活性炭で除去した後芳香剤で香りを付加しヒーター４９ａに導かれ、加熱され加湿手段１１の噴射手段２５より香りの付いた温水を水破砕手段１５に噴射することにより、加湿用吹出し口２３からは香りを付加した加熱加湿空気がサウナ対象室１に吹き出されることとなる。
【００８２】
また、サウナ対象室１の温度を浴室内温度検知手段２６で検知し、一方、加湿用吹出口２３直下に設けた加湿空気温度検知手段２７で加湿空気温度を検知することにより、浴室温度と吹き出し加湿空気温度の差が２０Ｋ以内となるように制御手段１３でヒーター４９ａとヒーター４９ｂを制御するため、サウナ対象室１内は微細な香りを付加した温熱感のある水滴で満たされることとなり、香り、ウエット感、マイナスイオンによりリラクゼーションできる空間を創造することができる。
【００８３】
（実施の形態５）
実施の形態５について説明する。なお、実施の形態１〜４と重複する個所は同一記号とし説明は省略する。
【００８４】
図１５〜図１７に示すように、給水管６は装置本体３入口で分岐し、片側は温水供給手段５０を介して水―水熱交換器２４に導かれ、一方もう片側は冷水供給手段５１を通過し、温水供給手段５０からの流路と合流して噴射手段２５へと導かれる構成である。噴射手段２５の上流側には噴射温度検知手段５２が設けられ電気的に冷温水配合手段である制御手段１３と接続され、一方温水供給手段５０と冷水供給手段５１は電気的に冷温水配合手段である制御手段１３に接続されている。噴射手段２５から噴射した温水は水破砕手段１５で微細に破砕され気液分離手段１６で大粒の水滴を回収し微細な水滴のみを加湿用吹出口２３からサウナ対象室１に送風する構成である。また、サウナ対象室１には温度を検知する浴室内温度検知手段２６が備えられ、浴室内温度検知手段は電気的に冷温水配合手段である制御手段と接続されている。
【００８５】
上記構成において、サウナ対象室１内温度と噴射手段２５上流の温度を検知し加湿用吹出口２３から吹き出す加湿加熱空気温度がサウナ対象室１温度に対し２０Ｋ以内となるように冷温水配合手段である制御手段１３が温水供給手段５０と冷水供給手段５１を制御することで、加湿用吹出口２３から吹き出される加熱加湿空気は結露することなくクリアな微細水滴のままサウナ対象室１内部に拡散されることとなる。
【産業上の利用可能性】
【００８６】
本発明にかかるサウナ装置は、高湿温風空気を吹出す構造によって、暖房装置と加湿装置を一体に設けた空気調和装置あるいは温度・湿度制御が必要な動植物の育成・保存分野にも適応できる。
【図面の簡単な説明】
【００８７】
【図１】本発明の実施の形態１のサウナ装置を設置した状態を示す斜視図
【図２】同サウナ装置の側面構成図
【図３】同サウナ装置の加湿手段の内部を示す側面構成図
【図４】本発明の実施の形態２のサウナ装置を設置した状態を示す斜視図
【図５】同サウナ装置の加湿手段の内部を示す側面構成図
【図６】同サウナ装置の側面構成図
【図７】本発明の実施の形態３のサウナ装置を設置した状態を示す斜視図
【図８】同サウナ装置の加湿手段の内部を示す側面構成図
【図９】同サウナ装置の側面構成図
【図１０】同サウナ装置の設置した状態を示す側面構成図
【図１１】同サウナ装置の底面構成図
【図１２】本発明の実施の形態４のサウナ装置を設置した状態を示す斜視図
【図１３】同サウナ装置の加湿手段の内部を示す側面構成図
【図１４】同サウナ装置の側面構成図
【図１５】本発明の実施の形態５のサウナ装置を設置した状態を示す斜視図
【図１６】同サウナ装置の加湿手段の内部を示す側面構成図
【図１７】同サウナ装置の側面構成図
【図１８】従来のサウナ装置の構造図
【符号の説明】
【００８８】
１１    加湿手段
１２    加熱手段
１３    制御手段
１４    加湿空気送風手段
１６    気液分離手段
１７ａ  加湿空気温度可変手段
１８    給水手段
２１    加熱空気送風手段
２４    水−水熱交換器
２５    噴射手段
２６    浴室内温度検知手段
２７    加湿空気温度検知手段
３３    湿度検出手段
３４    空気熱交換器
４３    吹出口
４８    芳香手段
４９ａ  ヒーター
４９ｂ  ヒーター
５０    温水供給手段
５１    冷水供給手段
５２    噴射温度検知手段
【図１】
2007209438.tif 000003
【図２】
2007209438.tif 000004
【図３】
2007209438.tif 000005
【図４】
2007209438.tif 000006
【図５】
2007209438.tif 000007
【図６】
2007209438.tif 000008
【図７】
2007209438.tif 000009
【図８】
2007209438.tif 000010
【図９】
2007209438.tif 000011
【図１０】
2007209438.tif 000012
【図１１】
2007209438.tif 000013
【図１２】
2007209438.tif 000014
【図１３】
2007209438.tif 000015
【図１４】
2007209438.tif 000016
【図１５】
2007209438.tif 000017
【図１６】
2007209438.tif 000018
【図１７】
2007209438.tif 000019
【図１８】
2007209438.tif 000020